(57)【特許請求の範囲】
【請求項１】
映像、音声、およびマルチメディアデータを多重化したデジタル信号を送信するデジタル放送送信手段と、
放送中の番組についてのマルチメディアデータ更新時刻一覧を記載したスケジュールデータを生成するスケジュールデータ生成手段と、
前記デジタル信号から前記マルチメディアデータを分離してネットワークを介してこれを配信し、前記ネットワークに前記スケジュールデータ生成手段で生成したスケジュールデータを配信するマルチメディアデータ分離配信手段と、
前記デジタル放送送信手段で送信したデジタル信号を受信するデジタル放送受信手段と、
当該デジタル放送受信手段で受信したデジタル信号から少なくとも映像及び音声を表示する映像音声表示手段と、
前記デジタル放送受信手段から独立して操作可能で、前記ネットワークを介して配信されるマルチメディアデータとスケジュールデータを受信し、前記マルチメディアデータの記述に用いられるＢＭＬを、携帯情報端末でブラウズするために該携帯情報端末でブラウズ可能なＨＴＭＬ、Ｃ−ＨＴＭＬ、ＷＭＬのいずれか一つの記述言語に変換するマルチメディアデータ変換手段を含む携帯情報端末と、
を含むことを特徴とするデジタル放送送受信システム。
【請求項２】
請求項１に記載のデジタル放送送受信システムにおいて、前記ネットワークがインターネットであり、前記マルチメディアデータ分離配信手段が、前記デジタル信号から分離したマルチメディアデータ及び前記スケジュールデータ生成手段で生成したスケジュールデータを前記インターネットに配信するウエブサーバを具えることを特徴とするデジタル放送送受信システム。
【請求項３】
請求項２に記載のデジタル放送送受信システムにおいて、前記映像音声表示手段が、前記ウエブサーバのＵＲＬを表示することを特徴とするデジタル放送送受信システム。
【請求項４】
映像、音声、およびマルチメディアデータを多重化したデジタル信号を受信するデジタル放送受信手段と、
当該デジタル放送受信手段で受信したデジタル信号から少なくとも映像及び音声を表示する映像音声表示手段と、
前記デジタル放送受信手段から独立して操作可能で、ネットワークを介して配信された前記マルチメディアデータと、前記デジタル放送受信手段で受信するデジタル放送番組についてのマルチメディアデータ更新時刻のスケジュールデータを、前記ネットワークを介して取得して、このスケジュールデータに従って前記マルチメディアデータを受信する携帯端末とを具え、
前記携帯端末は、前記マルチメディアデータの記述に用いられるＢＭＬを、該携帯情報端末でブラウズするために該携帯情報端末でブラウズ可能なＨＴＭＬ、Ｃ−ＨＴＭＬ、ＷＭＬのいずれか一つの記述言語に変換するマルチメディアデータ変換手段を具える、
ことを特徴とするデジタル放送受信システム。
【発明の詳細な説明】
【０００１】
【発明の属する技術分野】
本発明は、デジタル放送送受信システムに関するものであり、特に、マルチメディアデータを多重化して放送するデジタル放送送受信システムに関する。
【０００２】
【従来の技術】
デジタル放送には、デジタル信号送信側から、映像データ、音声データ、およびＢＭＬ言語で記述されたマルチメディアデータを多重化したデジタル信号を放送し、これを受信機で受信して映像音声表示装置に取り込むように構成されたものがある。受信側には、受信機と、この受信機に一対一に対応したリモコン装置が設けられており、視聴者はこのリモコン装置を用いて放送中のマルチメディアデータに対する操作を行う。
【０００３】
【発明が解決しようとする課題】
しかしながら、従来のデジタル放送送受信システムでは、受信機とマルチメディアデータを操作するためのリモコン装置が一対一に対応しているため、複数人で一台の映像音声表示装置を視聴する場合に、それぞれの視聴者がマルチメディアデータについて、各自の意向に沿った操作を行うことができないという問題がある。すなわち、リモコンを手にしていない視聴者は、マルチメディアデータについての操作を行うことができず、また、リモコンを手にしている視聴者が行う操作は、必ずしも各視聴者の移行を反映しているとは言えない。更に、マルチメディアの視聴を望まない視聴者にとってはマルチメディアデータが映像音声データ視聴の妨げになることもある。
【０００４】
本発明は、上記課題を解決すべくなされたものであり、複数の視聴者が同一の映像音声表示装置を利用してデジタル放送を視聴する場合に、各視聴者が他の視聴者の妨げになることなく、各自の意向に沿ったマルチメディアデータの操作を行いうるデジタル放送送受信システムを提供することを目的とする。
【０００５】
【課題を解決するための手段】
上記課題を解決するために、本発明のデジタル放送送受信システムは、映像、音声、およびマルチメディアデータを多重化したデジタル信号を送信するデジタル放送送信装置と、前記デジタル信号から前記マルチメディアデータを分離してネットワークを介してこれを配信するマルチメディアデータ分離配信手段と、前記デジタル放送信号を受信するデジタル放送受信手段と、当該デジタル放送受信手段で受信したデジタル信号から少なくとも映像および音声を表示する映像音声表示装置と、前記デジタル放送受信手段から独立して動作し、前記ネットワークを介して配信されたマルチメディアデータを受信可能な携帯情報端末を具えることを特徴とする。
【０００６】
このように、本発明のデジタル放送送受信システムでは、映像、音声、マルチメディアデータが多重化されているデジタルデータからマルチメディアデータを分離し、これをネットワークを介して配信するようにしている。また、受信側においては、デジタル放送受信装置から独立して動作し、ネットワークに接続可能な携帯情報端末にてこの分離配信されたマルチメディアデータを受信し、操作するようにしている。したがって、携帯情報端末を複数台用意しておき、視聴者各人がこれを手にすることによって、各視聴者が個別の端末でそれぞれの意向に添ってマルチメディアデータを視聴し、操作することができる。
【０００７】
なお、ここでデジタルデータからのマルチメディアデータの分離とは、デジタル放送送信設備で多重化したデジタル信号からＢＭＬで記述されたマルチメディアデータ部分を抽出すること、あるいは多重化する前のデジタル信号からマルチメディアデータ部分を分離することを意味する。
【０００８】
また、本発明のデジタル放送送受信システムは、前記マルチメディアデータ分離配信装置が更に、当該デジタル放送送受信システムで放送中の番組について、マルチメディアデータ更新時刻一覧を記述したスケジュールデータを生成するスケジュールデータ生成手段を具え、前記ネットワークにこのスケジュールデータで生成したデータを配信するとともに、前記携帯情報端末が当該スケジュールデータを受信して、このスケジュールデータに従って前記マルチメディアデータを更新することを特徴とする。
【０００９】
このように構成することによって、視聴者側では、デジタル放送中の番組の映像、音声と同期のとれたマルチメディアデータを入手することができる。
【００１０】
なお、前記ネットワークがインターネットであり、前記マルチメディアデータ分離配信手段が、前記デジタル信号から分離したマルチメディアデータおよび前記スケジュールデータ生成手段で生成したスケジュールデータを前記インターネットに配信するウェブサーバを具えることが好ましい。
【００１１】
この場合、前記映像音声表示装置が、前記ウェブサーバのＵＲＬを表示することによって、視聴者側（携帯情報端末）は容易にマルチメディアデータおよび当該マルチメディアデータの更新時間のスケジュールデータを入手することができる。
【００１２】
なお、本発明のデジタル放送受信装置において、前記携帯情報端末と前記ネットワークとは、ＡＴＭ、ＦＴＴＨ、有線ＬＡＮ、無線ＬＡＮ、固定電話回線、携帯電話またはＰＨＳを利用したダイアルアップ接続、ケーブルテレビ回線を利用した接続、あるいはインターネットに接続可能な携帯情報端末によるパケット通信にて好適に接続することができる。
【００１３】
本発明は、更にデジタル放送送信設備に関し、この設備は、映像、音声、およびマルチメディアデータを多重化したデジタル信号を送信するデジタル放送送信装置と、前記デジタル信号から前記マルチメディアデータを分離するマルチメディアデータ分離手段と、前記デジタル放送送信手段にて送信するデジタル放送番組についてのマルチメディアデータ更新時刻一覧を記述したスケジュールデータを作成する手段と、前記分離抽出したマルチメディアデータと前記スケジュールデータ作成手段で作成したスケジュールデータをインターネットに提供するウェブサーバと、を具えることを特徴とする。
【００１４】
また、本発明はデジタル放送受信装置に関し、この装置は、映像、音声、およびマルチメディアデータを多重化したデジタル信号を送信するデジタル放送受信手段と、当該デジタル放送受信装置で受信したデジタル信号から少なくとも映像および音声を表示する映像音声表示装置と、前記デジタル放送受信手段から独立して動作し、ネットワークを介して配信されたマルチメディアデータを受信可能な携帯情報端末を具えることを特徴とする。
【００１５】
また、このデジタル放送受信装置において、前記携帯情報端末が、前記デジタル放送受信手段で受信するデジタル放送番組についての、マルチメディアデータ更新時刻のスケジュールデータを前記ネットワークを介して取得して、このスケジュールデータに従って前記マルチメディアデータを取得することを特徴とする。
【００１６】
この用に構成することによって、デジタル放送中の番組について、映像音声表示装置で表示する映像および音声と同期のとれた最新のマルチメディアデータを、携帯情報端末にて自動的に受信することが可能となる。
【００１７】
さらに、この携帯情報端末が、前記デジタル放送に多重化されているマルチメディアデータの記述に利用されるＢＭＬを前記ネットワークで使用する記述言語に変換するマルチメディアデータ変換手段を具えることが好ましい。
【００１８】
このように、携帯情報端末にマルチメディアデータ記述言語変換手段を設けることによって、変換した記述言語を解析する解析部に既存のウェブブラウザを利用することが可能となる。
【００１９】
【発明の実施の形態】
以下に本発明の実施形態を図面を参照して詳細に説明する。
図１は、本発明にかかるデジタル放送送受信システムの一実施形態の概略構成を示すブロック図である。図１に示すとおり、本発明のシステムは、デジタル放送放送設備１と、デジタル放送受信装置２と、映像音声表示装置３と、デジタル放送受信装置２から独立して動作し、インターネット４に接続可能な機能を有する複数台の携帯情報端末５を具える。デジタル放送設備１は、映像データ信号、音声データ信号、マルチメディアデータ信号を多重化して放送し、デジタル放送受信装置２はこれを受信して、映像音声表示装置３に表示する。映像音声表示装置３は、放送された映像、音声の表示を行うが、マルチメディアデータ（デジタル放送マルチメディアデータの記述言語であるＢＭＬで記述された部分）の表示を行うことも可能である。デジタル放送放送設備１は、後述するとおり、インターネット４にデータを配信するウエブサイトを有しており、視聴者側はこのウエブサイトで配信されたデータを携帯情報端末５で受信する。なお、本例では、デジタル放送放送設備１とデジタル放送受信装置２との間は、衛星を介して電波を送受信するものとするが、地上波を用いたデジタル放送にも本発明を適用することができる。
【００２０】
図２は、本発明のシステムを構成する各設備の詳細を示すブロック図である。デジタル放送放送設備１は、デジタル放送送出装置１１、アンテナ１２、マルチメディアデータ抽出装置１３、スケジュールデータ生成装置１４、ＷＷＷサーバ１５を具える。デジタル放送送出装置１１は、映像データ、音声データおよびマルチメディアデータを含むデジタル放送データをデジタル放送信号に変換、多重化してアンテナ１２より送出する。マルチメディアデータ抽出装置１３は、デジタル放送送出装置１１で多重化されたデジタル信号からＢＭＬで記述されたマルチメディアデータ部分を抽出するか、あるいは多重化する前のデジタル信号からマルチメディアデータ部分を分離して、これをＷＷＷサーバ１５に格納する。なお、マルチメディアデータの抽出（分離）は、ソフトウエアで行うようにしてもよい。
【００２１】
時間が経過して送出されるマルチメディアデータが更新された場合は、マルチメディアデータ抽出装置１３はその都度マルチメディアデータの抽出もしくは分離を行って、ＷＷＷサーバ１５に常に最新のマルチメディアデータを格納しておくようにする。
【００２２】
スケジュールデータ生成装置１４は、デジタル放送送信設備１にて放送中のデジタル放送番組に関してマルチメディアデータが更新される時刻一覧を記述したスケジュールデータを生成し、ＷＷＷサーバ１５にこれを格納する。
【００２３】
デジタル放送受信装置２は、デジタル放送放送設備１から送出されたデジタル放送信号を受信して、映像音声表示装置３に表示する。なお、本例では、映像音声表示装置３に、映像、音声に加えてマルチメディアデータを表示可能な装置を用いて映像と音声のみを表示するようにしているが、映像と音声のみを表示する装置を用いることもできる。なお、デジタル放送受信装置２と、映像音声表示装置３は統合された一台の装置であってもよい。受信装置２および映像音声表示装置３の構成は、当業者によく知られており、また、本発明とは直接関係しないので、その詳細な構成の説明はここでは省略する。
【００２４】
携帯情報端末５では、中央制御装置（ＣＰＵ）５１と、ＲＯＭおよびＲＡＭからなるメモリ５２と、インターネット４によりデータの送受信を行うインターネット通信制御部５３と、押釦などからなる操作部５４と、インターネット経由で取得したＢＭＬで記述されたマルチメディアデータの解析を行うマルチメディアデータ解析部５５と、表示部５６と、表示部５６の表示制御を実行する表示制御部５７とが、共有バス５８に接続されている。なお、マルチメディアデータ解析部５５で行うマルチメディアデータの解析はソフトウエアで行うようにしてもよい。なお、本システムは、複数台の携帯情報端末５を具えており、これらの複数台の端末を同時に稼働させることができる。
【００２５】
携帯情報端末５とインターネット４との接続方法には、ＡＴＭ、ＦＴＴＨ、有線及び無線ＬＡＮ、固定電話回線や携帯電話やＰＨＳを利用したダイアルアップ接続、ケーブルテレビ回線を利用した接続、インターネットに接続可能な携帯情報端末によるパケット通信などが考えられる。
【００２６】
次に、携帯情報端末５を構成する中央制御装置４１の動作を図３のフローチャートに基づいて説明する。
複数の視聴者が、デジタル放送受信装置２と、映像音声表示装置３と、携帯情報端末５を併用してデジタル放送を視聴するものとする。携帯情報端末５は、上述したとおり、デジタル放送データのうちマルチメディアデータを受信可能に構成されており、各視聴者が個別に手にしている。なお、視聴するデジタル放送番組がマルチメディアデータ部分が携帯情報端末で視聴可能である旨とこのマルチメディアデータ取得のためのＵＲＬをデジタル放送映像で放送して、視聴者がＷＷＷサーバ１５に容易にアクセスできるようにするのが好ましい。
【００２７】
携帯情報端末５は、インターネット４を経由してデジタル放送放送設備１のＷＷＷサーバ１５からデジタル放送のマルチメディアデータを取得し、メモリ５２に保持する。マルチメディアデータ解析部５５によってこのデータを解析し、その解析結果を表示制御部５７を介して表示部５６に表示する（ステップ１０１）。
【００２８】
次いで、自身がスケジュールデータを取得済みであるか否かを判別し（ステップ１０２）、取得していなければＷＷＷサーバ１５からこれを取得してメモり４２に保持する（ステップ１０３）。メモリ５２にすでにスケジュールデータを取得済みであれば、このスケジュールデータの解析を行い、このデータに記述されているマルチメディアデータの更新時刻一覧のうち、現在時刻のすぐ後にある時刻を次回更新時刻とし、また、視聴している番組内でマルチメディアデータが最後に更新される時刻を最終更新時刻として登録する（ステップ１０４）。
【００２９】
更に、現在時刻と最終更新時刻を比較して（ステップ１０５）、現在時刻が最終更新時刻をすぎている場合は、今後番組内でデータの更新が行われないので、処理を終了する。一方、現在時刻が最終更新時刻前であれば、次回更新時刻をタイマにセットする。（ステップ１０６）
【００３０】
タイマが発火したら（ステップ１０７）更新されたマルチメディアデータの取得を行う（ステップ１０１）。以上の動作を番組終了まで繰り返すことによって、携帯情報端末５には、常に映像、音声と同期が取れた最新のマルチメディアデータが表示されることになる。
【００３１】
図４は、本発明のシステムを構成する携帯情報端末５の他の構成を示すブロック図である。図４に示す例では、上述した構成に加えて、携帯情報端末５にマルチメディアデータ変換部５９を実装するようにしている。マルチメディアデータ変換部５９は、デジタル放送マルチメディアデータ部分の記述に利用されるＢＭＬをＨＴＭＬ、Ｃ−ＨＴＭＬ、ＷＭＬ等の記述言語に変換するものであり、マルチメディアデータ解析部５５は、変換後の記述言語を解析する。
【００３２】
このように、マルチメディアデータ変換部５９にて、デジタル放送マルチメディアデータ記述言語であるＢＭＬをインターネット等で広く利用されているＨＴＭＬ形式などに変換するようにすれば、マルチメディアデータ解析部４５に、既存のウエブブラウザを流用することができる。
【００３３】
なお、当該デジタル放送番組が限られた契約者のみ視聴可能となって言える場合は、ＷＷＷを経由してデジタル放送マルチメディアデータへアクセスする際に、ＩＤやパスワードなどの既存の認証技術を利用して利用者の認証を行うことによって、契約者のみがデジタル放送マルチメディアデータを取得することができる。
【００３４】
【発明の効果】
以上述べたとおり、本発明のシステムでは、デジタル放送信号中のマルチメディアデータ部分を分離もしくは抽出して配信し、それを各視聴者がそれぞれ手にした携帯情報端末に表示して操作することができるので、複数人の視聴者が他の視聴者の妨げになることなくデジタル放送マルチメディアデータについて各自の意向に添った操作を行うことができる。また、この携帯情報端末は、放送する番組のスケジュールデータに従って、更新データを自動的に取得するように構成されているため、視聴者が手動で操作しなくても、デジタル放送番組の映像音声と同期がとれたマルチメディアデータを視聴、操作することができる。更に、携帯情報端末は、放送中の番組のスケジュールデータを取得して、データの更新時刻を把握するようにしているので、データ更新の有無を知るための無駄な通信をなくし、ＷＷＷサーバと端末間の通信量を低減することができる。
【図面の簡単な説明】
【図１】図１は、本発明のデジタル放送送受信システムの全体の構成を示すブロック図である。
【図２】図２は、本発明のシステムを構成する各設備の具体的な構成を示すブロック図である。
【図３】図３は、本発明のシステムを構成する携帯情報端末における動作を説明するためのフローチャートである。
【図４】図４は、本発明のシステムを構成する携帯情報端末の他の例の構成を示すブロック図である。
【符号の説明】
１    デジタル放送放送設備
２    デジタル放送受信装置
３    映像音声表示装置
４    インターネット
５    携帯情報端末
１１    デジタル放送送出装置
１２    マルチメディアデータ抽出装置
１３    スケジュールデータ生成装置
１４    ＷＷＷサーバ
５１    中央制御装置
５２    メモリ
５３    インターネット通信制御部
５４    操作部
５５    マルチメディアデータ解析部
５６    表示部
５７    表示制御部
５８    共通バス
５９    マルチメディアデータ変換部
【図１】
0003969096.tif 000002
【図２】
0003969096.tif 000003
【図３】
0003969096.tif 000004
【図４】
0003969096.tif 000005